(57)【要約】      （修正有）【課題】箸に滑り止めの複数の細溝を設けるのではなく、スープ類を所定量保持できる大きさのスープ保持溝を形成するという工夫を加えること。【解決手段】１）棒状本体の側面の適所に、断面凹状でスープ類を所定量保持できる大きさのスープ保持溝を、棒状本体の長さ方向に沿って設けた。２）断面凹状でスープ類を所定量保持できる大きさのスープ保持溝が、棒状本体の側面の適所に容器状に形成されている。３）断面凹状でスープ類を所定量保持できる大きさのスープ保持溝が、棒状本体の側面に一端を棒状本体の先端に開放するよう形成されている。４）断面凹状でスープ類を所定量保持できる大きさのスープ保持溝とは別に、スープ保持溝と交差して、スリップ防止溝が形成されている。【選択図】図１
0003128363.tif 000002
【実用新案登録請求の範囲】
【請求項１】
棒状本体の側面の適所に、断面凹状でスープ類を所定量保持できる大きさのスープ保持溝を、棒状本体の長さ方向に沿って設けたことを特徴とする箸。
【請求項２】
断面凹状でスープ類を所定量保持できる大きさのスープ保持溝が、棒状本体の側面の適所に容器状に形成されている請求項１に記載の箸。
【請求項３】
断面凹状でスープ類を所定量保持できる大きさのスープ保持溝が、棒状本体の側面に一端を棒状本体の先端に開放するよう形成されている請求項１に記載の箸。
【請求項４】
断面凹状でスープ類を所定量保持できる大きさのスープ保持溝とは別に、スープ保持溝と交差して、スリップ防止溝が形成されている請求項１ないし３のいずれかに記載の箸。
【考案の詳細な説明】
【技術分野】
【０００１】
この考案は、従来広く使用されている表面が平滑な箸の代りに開発した、麺類を食するのに適した箸に関する。
【背景技術】
【０００２】
従来割箸は総て木製であって、我が国では年間３００億膳〜３５０億膳使用するといわれ、前記の８５％は外国からの輸入に依存している。
【０００３】
このような状況において、割箸の素材をプラスチック製として、木材資源の枯渇を防止しようとする動きもあるが、プラスチック製の箸の特徴として非常に滑りやすいという欠点があった。
【０００４】
そこで、実開昭５９−５５０７７号公報（特許文献１参照）のように、プラスチック製の箸に滑り止めの複数の細溝を、箸の棒状本体の長さ方向に直角に形成したり、実開平４−６９７４号公報（特許文献２参照）のように、プラスチック製やアルミ製の箸に滑り止めの複数の細溝を、箸の棒状本体の長さ方向に沿って形成し、さらにそれと直角にも形成することが行なわれている。
【０００５】
また、実開昭６２−１６６７８５号公報（特許文献３参照）等のように、プラスチック製の箸に滑り止めの複数の細溝を、箸の棒状本体の側面にらせん状に形成する例も見受けられる。
【特許文献１】実開昭５９−５５０７７号公報
【特許文献２】実開平４−６９７４号公報
【特許文献３】実開昭６２−１６６７８５号公報
【考案の開示】
【考案が解決しようとする課題】
【０００６】
ところで、麺を麺だけで食べるのでは食感こそ感じられますが旨みはあまり感じない。またスープもスープだけでは旨みは感じても好ましい食感は得られない。そのような理由もあり、こだわったお店では「スープがよく絡む縮れ麺を使っている」等をセールスポイントにして提供している。
【０００７】
この考案の箸は、麺にスープがよく絡む縮れ麺を使用した場合の効果のみならず、麺とスープがよく絡むようにしてより効果的に麺を食することができるようにした箸を提供しようとするものであり、箸の先端にスープ保持溝を設け、より多くの旨みを口に運び、一層美味しく食べることを可能とするこだわりの箸である。
【０００８】
この考案の箸においては、箸の棒状本体部分に滑り止めの複数の細溝を設けるのではなく、スープ類を所定量保持できる大きさのスープ保持溝を形成するという工夫を加えることにより、箸の溝で補らえたスープ〈旨み〉を面と一緒に口に運ぶことができるようにして、前記従来の問題点を解決したのである。
【課題を解決するための手段】
【０００９】
すなわちこの考案の箸は、上記従来の問題点を解消するため、棒状本体の側面の適所に、断面凹状でスープ類を所定量保持できる大きさのスープ保持溝を、棒状本体の長さ方向に沿って設けたことを特徴とするものである。
【００１０】
この考案の箸は、上記断面凹状でスープ類を所定量保持できる大きさのスープ保持溝が、棒状本体の側面の適所に容器状に形成されていることをも特徴としている。
【００１１】
この考案の箸は、上記断面凹状でスープ類を所定量保持できる大きさのスープ保持溝が、棒状本体の側面に一端を棒状本体の先端に開放するよう形成されていることをも特徴としている。
【００１２】
この考案の箸は、上記断面凹状でスープ類を所定量保持できる大きさのスープ保持溝とは別に、スープ保持溝と交差して、スリップ防止溝が形成されていることをも特徴としている。
【００１３】
前記断面凹状でスープ類を所定量保持できる大きさのスープ保持溝とは、うどんやラーメンのスープ類が箸の棒状本体の表面に付着している程度ではなく、食する際にうどんやラーメン等を食する際に、その麺とともに所定量が口中に投入される程度であることを意味するものである。
【００１４】
この考案に使用する合成樹脂は、ポリプロピレン、ポリエチレン、ポリカーボネイトの外、とうもろこし、さとうきび、じゃがいもから得た樹脂（生分解性樹脂）またはパルプ由来の素材、その他毒性がなく、強度のある合成樹脂であれば使用することができる。
【考案の効果】
【００１５】
この考案の箸によれば、例えばうどんやラーメンのスープが箸の表面に形成した、スープ類を所定量保持できる大きさのスープ保持溝に保持できるようにしたことにより、うどんやラーメン等を違和感なく食することができる。
【考案を実施するための最良の形態】
【００１６】
以下、この考案の箸に係る実施の形態を、図面に基いてより詳細に説明する。
図１はこの考案の箸の第１の実施例を説明する斜視図、図２は第２の実施例を説明する斜視図、図３は第３の実施例を説明する斜視図、図４は第４の実施例を説明する斜視図である。
【００１７】
先ず図１に基いてこの考案の第１の実施例を説明すると、箸はプラスチック製のほぼ方形断面の棒状本体１１の先端近傍に幅が約１ｍｍ以上のスープ保持溝１２を、棒状本体１１の長さ方向に沿って約１〜３ｃｍにわたって容器状に設けたものである。
【００１８】
そして、箸を構成する方形断面の棒状本体１１の各側面に、上記スープ保持溝１２をそれぞれ形成してスープ類を保持できるようにしたので、どの面でうどんやラーメンを挟む場合であっても、うどんやラーメンをスープ類とともにおいしく食することができるようになったのである。
上記実施例における箸の保水量を従来例と比較して表１に示す。
【表１】
0003128363.tif 000003
【００１９】
図２に基いてこの考案の第２の実施例を説明すると、箸はプラスチック製のほぼ方形断面の棒状本体１１の先端近傍に幅が約１ｍｍ以上のスープ保持溝１２を、棒状本体１１の長さ方向に沿って約１〜３ｃｍにわたって容器状に設けられており、さらにそのスープ保持溝１２と交差するように複数のスリップ防止溝１３を設けたものである。
【００２０】
したがって、スープ類を保持した状態でうどんやラーメンをスープ類とともにおいしく食することができるばかりでなく、より確実にうどんやラーメン等の麺を挟むことができるようになるのである。
【００２１】
図３に基いてこの考案の第３の実施例を説明すると、箸はプラスチック製のほぼ円形断面の棒状本体１１の先端近傍に幅が約１ｍｍ以上のスープ保持溝１２を、棒状本体１１の長さ方向に沿って約１〜３ｃｍにわたって形成され、さらにスープ保持溝１２の一端を棒状本体１１の先端に開放するように設けられているのである。１４はその開放端である。
【００２２】
したがって、スープ類を保持した状態でうどんやラーメンをスープ類とともにおいしく食することができるばかりでなく、うどんやラーメン等の麺を挟みながら、スープ類をあまり抵抗なくスムーズに口中に投入することができるようになるのである。
【００２３】
図４に基いてこの考案の第４の実施例を説明すると、箸はプラスチック製のほぼ矩形断面の棒状本体１１の先端近傍に直径が約２ｍｍ以上の凹孔１５を、棒状本体１１の長さ方向に沿って所定の間隔で形成され、さらに凹孔１５は棒状本体１１を貫通するように設けられているのである。
【００２４】
したがって、スープ類を保持した状態でうどんやラーメンをスープ類とともにおいしく食することができるばかりでなく、相当量のスープ類を箸に確実に保持できるようになるのである。
【産業上の利用可能性】
【００２５】
この考案の箸は以上の構成を有しているので、その断面形状にほとんど制限を受けることなく適用することができ、また割箸と同様にのみならず。他の箸にも適用できるのはいうまでもない。
【図面の簡単な説明】
【００２６】
【図１】この考案の箸の第１の実施例を説明する斜視図である。
【図２】第２の実施例を説明する斜視図である。
【図３】第３の実施例を説明する斜視図である。
【図４】第４の実施例を説明する斜視図である。
【符号の説明】
【００２７】
１１  棒状本体
１２  スープ保持溝
１３  スリップ防止溝
１４  開放端
１５  凹孔
【図１】
0003128363.tif 000004
【図２】
0003128363.tif 000005
【図３】
0003128363.tif 000006
【図４】
0003128363.tif 000007